【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
基板に塗布したマルチインク画像を硬化させる方法において、
印刷ステーションにて基板にマルチインク画像を塗布することと、
前記基板上の前記塗布されたマルチインク画像の１つ以上の個別の部分を所定の程度まで硬化させて、前記基板上の前記マルチインク画像の１つ以上の個別の仮留めした部分を形成することと、
加熱要素で前記基板に熱を加えて、前記塗布されたマルチインク画像の仮留めしていない部分を、前記仮留めした部分の周りで再流動化させて、前記仮留めした部分と前記仮留めしていない部分との間で、前記基板上の前記塗布されたマルチインク画像を平坦化することと、
前記塗布されたマルチインク画像の前記仮留めしていない部分を別々に硬化させることと、
を含む方法。
【請求項２】
前記基板上の前記塗布されたマルチインク画像の１つ以上の個別の部分を硬化させることは、複数の透明部分を分ける複数の不透明部分を含むフィルタを通して前記基板上の前記マルチインク画像上に光を当てて、前記基板上の前記塗布されたマルチインク画像の前記１つ以上の個別の仮留めした部分を形成することを含む、
請求項１に記載の方法。
【請求項３】
前記マルチインク画像上に前記光が当たる位置を過ぎて、前記マルチインク画像が形成された前記基板を、プロセス方向に所定の速度で前進させることをさらに含み、
前記フィルタの前記複数の透明部分が前記１つ以上の個別の仮留めした部分と位置合わせするように、前記フィルタは、前記プロセス方向に前記所定の速度で前進するように構成されている、
請求項２に記載の方法。
【請求項４】
前記フィルタは、ベルト及びローラの中の１つであり、物理的に前記光を囲むように構成され、前記プロセス方向に前進するように構成されている、
請求項３に記載の方法。
【請求項５】
前記マルチインク画像上に前記光が当たる位置を過ぎて、前記マルチインク画像が形成された前記基板を、プロセス方向に所定の速度で前進させることと、
前記マルチインク画像上に前記光が当たる前記位置を過ぎて前記基板を前記プロセス方向に前進させる前記所定の速度に合わせた周波数で前記フィルタを通して前記光を閃光させ、前記１つ以上の個別の仮留めした部分が、前記フィルタの前記複数の透明部分と連続して位置合わせするように、前記１つ以上の個別の仮留めした部分を増加的に硬化させることと、
をさらに含む、
請求項２に記載の方法。
【請求項６】
前記マルチインク画像の前記１つ以上の個別の仮留めした部分が、前記フィルタの前記複数の透明部分と位置合わせする位置にて、前記マルチインク画像が形成された前記基板の前記プロセス方向への前進を一時停止させることと、
前記フィルタを通した前記光の前記閃光の前記周波数を調整して、前記マルチインク画像の前記１つ以上の個別の仮留めした部分を前記フィルタの前記複数の透明部材に位置合わせさせる前記基板の前記前進を一時停止させるタイミングに対応することと、
をさらに含む、
請求項５に記載の方法。
【請求項７】
前記フィルタの前記複数の透明部分と前記複数の不透明部分は、仮留め用パターンを形成し、前記仮留め用パターンは、ドットマトリックスパターン又は交差する線のパターンのうちの１つで形成されている、
請求項２に記載の方法。
【請求項８】
前記フィルタは、透明材料と不透明材料とによって形成されており、前記不透明部材は前記透明部材に塗布されることにより前記複数の不透明部分を形成する、
請求項７に記載の方法。
【請求項９】
前記フィルタは、前記複数の透明部分を形成する穴を有する不透明材料によって形成されている、
請求項７に記載の方法。
【請求項１０】
前記マルチインク画像は、紫外線ゲルサーマル噴射印刷プロセスによって前記基板に塗布される、
請求項１に記載の方法。
【請求項１１】
基板に塗布されたマルチインク画像を硬化させる装置において、
基板にマルチインク画像を塗布する印刷ステーションと、
プロセス方向において前記印刷ステーションの下流に配置され、前記基板上に塗布された前記マルチインク画像に硬化用の光を照射する光源と、
前記基板が配置され、前記プロセス方向に前記基板を前進させる移動装置と、
前記光源と前記基板との間に配置され、複数の透明部分を分ける複数の不透明部分を含むフィルタであって、前記光源が前記複数の透明部分を通して前記硬化用の光を照射して、前記基板上の前記マルチインク画像の１つ以上の個別の部分を硬化させるような、フィルタと、
プロセッサと、
を含み、
前記プロセッサは、前記フィルタとともに前記光源を作動させて、前記マルチインク画像の１つ以上の個別の部分を所定の程度まで硬化させて、１つ以上の個別の仮留めした部分を形成し、前記光は前記フィルタの前記複数の透明部分を通って照射されて、前記１つ以上の個別の仮留めした部分を形成し、
前記プロセッサは、熱源を作動させて、前記マルチインク画像の仮留めしていない部分を別々に、前記１つ以上の個別の仮留めした部分の周りで再流動化させて、前記１つ以上の個別の仮留めした部分の間で、前記基板上の前記マルチインク画像を平坦化させる、
装置。
【請求項１２】
前記移動装置は、前記マルチインク画像上に前記フィルタを通して前記光が照射される位置を過ぎて、前記マルチインク画像が形成された前記基板を、前記プロセス方向に所定の速度で前進させ、
前記マルチインク画像上に前記光が照射される前記位置を過ぎて前記基板が前進させられ、前記フィルタの前記複数の透明部分と前記基板上の前記マルチインク画像の前記１つ以上の個別の仮留めした部分との位置合わせを維持する間に、前記フィルタは前記光源に関して移動させられ、前記所定の速度で前記プロセス方向に前記フィルタの前記複数の透明部分を前進させる、
請求項１１に記載の装置。
【請求項１３】
前記フィルタは、前記光源の周囲に配置されたベルト及びローラの中の１つであり、前記プロセス方向に前進させられるように構成されている、
請求項１２に記載の装置。
【請求項１４】
前記移動装置は、前記マルチインク画像上に前記フィルタを通して前記光が照射される位置を過ぎて、前記マルチインク画像が形成された前記基板を、前記プロセス方向に前記所定の速度で前進させ、
前記プロセッサは、更に、前記マルチインク画像上に前記光が照射される位置を過ぎて前記基板を前記プロセス方向に前進させる前記所定の速度に合わせた周波数で前記フィルタを通して前記光源を閃光させ、前記１つ以上の個別の仮留めした部分が、前記フィルタの前記複数の透明部分と連続して位置合わせするように、前記１つ以上の個別の仮留めした部分を増加的に硬化させる、
請求項１１に記載の装置。
【請求項１５】
前記フィルタは、前記光源に関して固定されている、
請求項１４に記載の装置。
【請求項１６】
前記プロセッサは、
前記マルチインク画像の前記１つ以上の個別の仮留めした部分が、前記フィルタの前記複数の透明部分と位置合わせする位置にて、前記マルチインク画像が形成された前記基板を前進させる前記移動装置を一時停止させ、
前記フィルタを通した前記光の前記閃光の前記周波数を調整して、前記マルチインク画像の前記１つ以上の個別の仮留めした部分を前記フィルタの前記複数の透明部分に位置合わせさせる前記基板を前進させる前記移動装置の前記一時停止のタイミングに対応する、
請求項１５に記載の装置。
【請求項１７】
前記フィルタの前記複数の透明部分と前記複数の不透明部分は、仮留め用パターンを形成し、前記仮留め用パターンは、ドットマトリックスパターン又は交差する線のパターンのうちの１つで形成されている、
請求項１１に記載の装置。
【請求項１８】
前記フィルタは、透明材料と不透明材料とによって形成されており、前記不透明材料は前記透明材料に塗布されることにより前記複数の不透明部分を形成する、
請求項１７に記載の装置。
【請求項１９】
前記フィルタは、前記複数の透明部分を形成する穴を有する不透明材料によって形成されている、
請求項１７に記載の装置。
【請求項２０】
前記マルチインク画像は、紫外線ゲルサーマル噴射印刷プロセスによって前記基板に塗布される、
請求項１１に記載の装置。
【請求項２１】
プロセッサによって実行されたときに、基板に塗布された画像を硬化させる方法を前記プロセッサに実行させるための命令を記憶した、非一時的なコンピュータ読取可能な記録媒体であって、
前記方法は、
印刷ステーションにて基板にマルチインク画像を塗布することと、
前記基板上の前記塗布されたマルチインク画像の１つ以上の個別の部分を所定の程度まで硬化させて、前記基板上の前記マルチインク画像の１つ以上の個別の仮留めした部分を形成することと、
加熱要素で前記基板に熱を加えて、前記塗布されたマルチインク画像の仮留めしていない部分を、前記仮留めした部分の周りで再流動化させて、前記仮留めした部分と前記仮留めしていない部分との間で、前記基板上の前記塗布されたマルチインク画像を平坦化することと、
前記塗布されたマルチインク画像の前記仮留めしていない部分を別々に硬化させることと、を含む、
非一時的なコンピュータ読取可能な記録媒体。
【手続補正２】
【補正対象書類名】明細書
【補正対象項目名】００４８
【補正方法】変更
【補正の内容】
【００４８】
プロセッサ８０３および付属構成要素は、バス８０１を介してメモリ８０５との接続性を有している。実行されると、印刷した画像を平坦化するのを促進して、コーデュロイ状の像欠陥を減らしたり、またはなくしたりするために、本明細書に記載のインベンティブステップを実行する実行可能命令を保存するために、メモリ８０５は、ダイナミックメモリ（例えば、ＲＡＭ、磁気ディスク、書き込み可能光ディスクなど）およびスタティックメモリ（例えば、ＲＯＭ、ＣＤ−ＲＯＭなど）のうちの１つ以上を含んでいてもよい。１つ以上の実施形態では、ランダム・アクセス・メモリ（ＲＡＭ）または他の任意のダイナミック記憶デバイスなどのメモリ８０５は、印刷した画像を平らにして、コーデュロイ状の像欠陥を減らしたり、またはなくしたりするためのプロセッサ命令を含む情報を保存する。メモリ８０５は、読み出し専用メモリ（ＲＯＭ）または他の任意のスタティック記憶デバイスであってもよく、またはメモリ８０５は、システム１００を停止させたり、またはそうでなければ停電したりしたときでさえ持続する、命令を含む情報を保存するための磁気ディスク、光ディスク、またはフラッシュカードなどの不揮発性（永続）記憶デバイスであってもよい。なお、以下に本発明の構成の一例を付記として示す。
（付記１）
印刷において基材に塗布した画像を硬化させるのに有用な方法であって、
前記画像の１つ以上の部分を所定の程度まで硬化させることを少なくとも部分的に引き起こして、１つ以上の仮留めした部分を形成することと、
前記仮留めした部分とは異なる前記画像の他の部分を、前記仮留めした部分の間で再流動化させることを少なくとも部分的に引き起こして、前記画像を平坦化することと、
前記画像の前記再流動化した部分を硬化させることを少なくとも部分的に引き起こすことと、を含む、
方法。
（付記２）
フィルタを通して前記画像上に光を当てることを少なくとも部分的に引き起こして、前記１つ以上の仮留めした部分を形成することをさらに含む、付記１に記載の方法。
（付記３）
前記画像上に前記光が当たる位置を過ぎて前記基材をプロセス方向に所定の速度で前進させることを少なくとも部分的に引き起こすことをさらに含み、
前記フィルタが可動であり、前記画像上に前記光が当たる前記位置を過ぎて前記基材を前進させる間、前記フィルタは前記プロセス方向に前記所定の速度で前進するように構成されている、付記２に記載の方法。
（付記４）
前記フィルタがベルトである、付記３に記載の方法。
（付記５）
前記フィルタがローラである、付記３に記載の方法。
（付記６）
前記画像上に前記光が当たる前記位置を過ぎて前記基材をプロセス方向に所定の速度で前進させることを少なくとも部分的に引き起こすことと、
前記画像上に前記光が当たる前記位置を過ぎて前記基材を前記プロセス方向に前進させる間に、前記光を少なくとも１回閃光させることを少なくとも部分的に引き起こすことと、をさらに含む、付記２に記載の方法。
（付記７）
前記フィルタが固定式である、付記６に記載の方法。
（付記８）
前記画像上に前記光が当たる前記位置を過ぎて前記基材を前進させており、かつ硬化する予定の前記１つ以上の部分が、前記プロセス方向から見て下流にある前記フィルタの対応する部分と一致している間に、前記所定の速度に合わせた周波数で前記光を閃光させることを少なくとも部分的に引き起こして、前記画像の前記１つ以上の部分を硬化させることを少なくとも部分的に引き起こすことをさらに含む、付記７に記載の方法。
（付記９）
前記画像が前記フィルタと一致した時に、前記基材の前進を一時停止させることを少なくとも部分的に引き起こすことと、
前記画像が前記フィルタと一致した時に、前記光を少なくとも１回閃光させることを少なくとも部分的に引き起こすことと、をさらに含む、付記７に記載の方法。
（付記１０）
要求に応じて光源を作動させることと、所定の周波数で前記光源を作動させることと、１つ以上のシャッタを開閉することにより前記光源を作動させることと、のうちの１つ以上を手段として前記光を閃光させる、付記６に記載の方法。
【手続補正３】
【補正対象書類名】明細書
【補正対象項目名】発明の名称
【補正方法】変更
【補正の内容】
【発明の名称】印刷した画像を平坦化するための方法、装置および記録媒体